(57)【要約】【課題】環形ランプの保持安定性を向上させることができる照明器具を提供する。【解決手段】口金６ａを有する発光部を含む複数の発光部を環形に配設してなる四角形蛍光ランプ４を配設する器具本体２と；この器具本体に配設され、この器具本体が所要の取付部に取り付けられた状態で上記四角形ランプの口金と上下方向で給電自在に着脱されるソケット６と；器具本体に配設され、この器具本体が所要の取付部に取り付けられた状態で下方に開口する開口部を有し、この開口部内に上記四角形ランプの口金を有する発光部に対向する発光部４ｂを着脱自在に出入させて保持するランプホルダ５と；を具備している。【選択図】  図１
2005327634.tif 000002
【特許請求の範囲】
【請求項１】
口金を有する発光部を含む複数の発光部を環形に配設してなる多角形ランプを配設する器具本体と；
この器具本体に配設され、この器具本体が所要の取付部に取り付けられた状態で上記多角形ランプの口金と上下方向で給電自在に着脱されるソケットと；
上記器具本体に配設され、この器具本体が所要の取付部に取り付けられた状態で下方に開口する開口部を有し、この開口部内に上記多角形ランプの口金を有する発光部に対向する発光部を着脱自在に出入させて保持する保持具と；
を具備していることを特徴とする照明器具。
【発明の詳細な説明】
【技術分野】
【０００１】
本発明は四角形等多角形環状の蛍光ランプを配設する天井直付けや天井埋込形等に好適な照明器具に関する。
【背景技術】
【０００２】
従来、照明器具の一例としては、例えば環形の蛍光ランプをランプホルダ（保持具）により着脱自在に保持する場合、この環形蛍光ランプの口金を有する発光部（口金発光部）に対向する発光部（対向発光部）を保持せずに、この口金発光部の両側でほぼ直角方向に延在する左右一対の発光部（側面発光部）を左右一対のランプホルダ（保持具）により着脱自在にそれぞれ保持するものがある。
【０００３】
また、このランプホルダは、その側面発光部を、その直径方向から出入させる開口部を、器具本体が天井等に取り付けられた状態での外向き横方向ないし斜め方向に開口させている（例えば特許文献１参照）。
【特許文献１】特開２００２−３３４７５８号公報（図２、図７）
【発明の開示】
【発明が解決しようとする課題】
【０００４】
一方、発光管が四角形環状でその一辺中央に口金を設けた四角形環状のランプが開発されてきているが、この四角形環状のランプを使用する照射器具に、円環状のランプを使用する照射器具の構造を採用すると、四角形蛍光ランプの口金に対して対向しない一対の側面発光部を２個のランプホルダにより保持させるという構造が考えられる。しかしながら、この構成はこれらランプホルダが四角形蛍光ランプの環径方向で対向するうえに、これらランプホルダの各開口部が外向き横方向ないし斜め方向に開口しているので、四角形蛍光ランプの一対の側面部を一対のランプホルダに係合させて保持させる取付け／取外し作業が大変煩雑である。
【０００５】
すなわち、四角形蛍光ランプを一対のランプホルダに係合保持させて取り付ける場合は、まず、一方の側面発光部を一方のランプホルダに係合保持させた後、他方の側面発光部を、その内周面が他方のランプホルダの外向き開口の外側まで反対側へ大きく移動させなければならない。
【０００６】
このために、一方の係合保持中のランプホルダを、その弾性力に抗してその反対側へ大きく弾性変形させなければならないので、大きな引張力を必要とする。
【０００７】
また、これとは逆に、一端、両ランプホルダに保持されたランプをこれらランプホルダから取り外す場合も、一方の側面発光部を、その内周側が一方の外向き開口よりも外側へ位置するように他方の側面発光部側へその弾性力に抗して大きく引っ張らなければならず、取り付ける場合と同様、大きな引張力が必要であるうえに、大変煩雑である。また、これらの作業は四角形蛍光ランプの管径が細い細管形の場合は、より不安定になるので、さらに煩雑さが増すことになる。
【０００８】
本発明はこのような事情を考慮してなされたもので、その目的は、器具本体に、多角形ランプを取り付け、または取り外す着脱作業の作業性を向上させることができる照明器具を提供することにある。
【課題を解決するための手段】
【０００９】
請求項１に係る発明は、口金を有する発光部を含む複数の発光部を環形に配設してなる多角形ランプを配設する器具本体と；この器具本体に配設され、この器具本体が所要の取付部に取り付けられた状態で上記多角形ランプの口金と上下方向で給電自在に着脱されるソケットと；上記器具本体に配設され、この器具本体が所要の取付部に取り付けられた状態で下方に開口する開口部を有し、この開口部内に上記多角形ランプの口金を有する発光部に対向する発光部を着脱自在に出入させて保持する保持具と；を具備していることを特徴とする照明器具である。
【発明の効果】
【００１０】
本発明によれば、環形ランプの口金をソケットに装着して支持すると共に、この口金に対向する発光部を保持具により保持するので、環形ランプの保持安定性および取付作業性を向上させることができる。
【発明を実施するための最良の形態】
【００１１】
以下、本発明の実施形態を添付図面に基づいて説明する。これら複数の添付図面中、同一または相当部分には同一符号を付している。
【００１２】
図１は本発明の一実施形態に係る照明器具を天井に固定した状態を下方から仰視したときの下面図、図２は図１の正面図である。
【００１３】
これらの図に示すように照明器具１は天井壁Ｓ等の取付壁に直接取り付けられる直付形や取付壁の図示しない器具装着用開口に埋設されて吊りボルト等の取付金具に吊持される埋込形型に好適な照明器具である。
【００１４】
照明器具１は、下面開口の有蓋偏平角筒状で、例えば薄い鉄板等の板金製の器具本体２と、この器具本体２に同心状に装着されて、器具本体２の下面外周部に配設される中空矩形枠状の反射枠３と、を具備している。
【００１５】
反射枠３はアルミ製、板金製または合成樹脂製からなり、下面形状が四角形で、その軸直角断面形状がＶ字形器具本体蓋部２ａの内面の一側端部上に固定された点灯回路や配線等の外面を被覆している。
【００１６】
器具本体２は、その取付部である平板状蓋部２ａに、天井壁Ｓ等の取付壁に取付固定するための取付穴（図示せず）を穿設する一方、この蓋部２ａの内部の平坦面を反射面２ｂに形成している。器具本体２は、反射面２ｂに対向する対向端において、反射枠３により矩形状に囲まれた内側の下面開口を投光開口２ｃとして開口させている。
【００１７】
図１に示すように器具本体２は、その反射面２ｂ上に、発光部が四角形状に配設されてなる四角形蛍光ランプ４を、多角角形の環状ランプとして同心状かつ着脱可能にそれぞれ保持させる図１中、左右一対のランプホルダ５，５を保持部として配設している。
【００１８】
四角形蛍光ランプ４は、例えば一対の電極をそれぞれ封入した２本のほぼ四角形のガラスバルブを同一平面上にて内側と外側とに近接させて並設し、これらの各先端部同士を連結管により一体に連結して内側，外側２重管にそれぞれ形成し、さらに、これら２重管の内面に、蛍光体膜をほぼ全長に亘ってそれぞれ形成し、この２重管内に水銀と希ガス等の放電媒体をそれぞれ封入している。
【００１９】
また、四角形蛍光ランプ４は、これら電極封止端部と連結先端部の外面とに各々跨るように口金４ａを装着している。この口金４ａは、その上面、すなわち、器具本体２の反射面２ｂに対向する対向面上に、例えば４本の受電ピンを立設しており、ソケット６と着脱自在かつ給電自在に装着されるようになっている。
【００２０】
図３は上記一対のランプホルダ５，５の斜視図である。図３に示すように、これら各ランプホルダ５は、帯状ばね板をほぼコの字状に折曲してなり、そのコ字状底部５ａと、この底部５ａの両端よりほぼ直角に起立する左右一対の側板部５ｂ，５ｃとを一体に連成している。
【００２１】
底部５ａは器具本体２の反射面２ｂ上にねじ止め等により固定される。一対の側板部５ｂ，５ｃは、その起立方向中間部にて、外側方に円弧状に膨出して四角形蛍光ランプ４の内側，外側バルブを、その横並び方向に弾性的に挟持するように保持する円弧状の保持部５ｄと、この保持部５ｄ内に内側，外側バルブを、そのバルブ並設方向に直交する方向から弾性的に出入させる開口端５ｅとを有し、この開口端５ｅの左右一対の先端部には、外方にそれぞれ拡開する拡開先端部５ｆ，５ｆをそれぞれ折曲形成している。すなわち、各ランプホルダ５は器具本体２が天井壁Ｓに取り付けられた状態で上下方向で四角形蛍光ランプ４を出入させるようになっている。
【００２２】
そして、一対のランプホルダ５，５は、四角形蛍光ランプ４の口金４ａに対向する対向発光部４ｂにおいて、その口金４ａに対応する部位を中心にして、その図１中左右両側の等分位置にそれぞれ配設される。
【００２３】
図４は上記ソケット６の平面図、図５は同ソケット６の右側面図、図６は同ソケット６に四角形蛍光ランプ４の口金４ａを装着する場合の一部を縦断面で示す側面図である。
【００２４】
これらの図に示すようにソケット６は、例えば合成樹脂成形品からなる平面形状が矩形のソケット本体６ａを有し、このソケット本体６ａは、その底面６ａ１が器具本体２の反射面２ｂ側の内面に固定される。ソケット本体６ａは、その一側面（図４では右側面）に、４本のリード線をそれぞれ挿入させて固定する４個のリード線挿入口６ｂ，６ｂ，…を穿設している。
【００２５】
ソケット本体６ａは、その上面に、ほぼ角柱状の角柱状突部６ｃを形成する一方、この角柱状突部６ｃの両側に支承台６ｄ，６ｄ，を形成している。角柱状突部６ｃは、その図４中上面から軸方向に、上記四角形蛍光ランプ４の口金４ａの各口金ピン４ａ１を差込挿入するためのピン挿入孔６ｅを２対（合計４個）開口している。各ピン挿入孔６ｅは、その内部に、口金ピン４ａ１が挿入されたときに、この口金ピン４ａ１を、その径方向で弾性的に挟持すると共に電気的に接続させる一対の導電片６ｆ，６ｆをそれぞれ配設している。これら導電片６ｆ，６ｆは図示しない導体を介して上記リード線挿入口６ｂに挿入されるリード線の挿入端部に電気的に接続されている。リード線の他端部は点灯回路に電気的に接続されている。
【００２６】
上記一対の支承台６ｄ，６ｄは、図６に示すように四角形蛍光ランプ４の口金４ａの口金ピン４ａ１が、ピン挿入孔６ｅ内に挿入されたときに、その口金４ａ外面と当接する当接面を支承するものである。このために、各支承台６ｄ，６ｄはその上面の支承面を、口金４ａの当接面（被支承面）に適合する形状に形成している。
【００２７】
一対の支承台６ｄ，６ｄは、その一対の側面に、帯状ばね板よりなる一対のランプ支持ばね６ｇ，６ｇの基端部を固定している。これら一対のランプ支持ばね６ｇ，６ｇは角柱状突部６ｃよりも上方へ突出し、その突出自由先端部に、例えばくの字状に屈曲されたランプ係合部６ｇ１，６ｇ１を一体に連成している。
【００２８】
したがって、図６に示すように四角形蛍光ランプ４の口金４ａの４本の口金ピン４ａ１，４ａ１をソケット本体６ａの各ピン挿入孔６ｅ内にそれぞれ挿入していくと、口金４ａの当接面４ａ２がソケット本体６ａの一対の支承台６ｄ，６ｄに当接して支承されると共に、一対のランプ支持ばね６ｇ，６ｇが口金４ａの外周面を挟持し、口金４ａの挿入に伴って漸次弾性的に外側方に拡開し、やがて各ランプ係合部６ｇ１，６ｇ１が口金４ａの係合段部４ａ３，４ａ３の外面を摺動して乗り越え、弾性的に係合する。
【００２９】
このために、ソケット６は、その各ピン挿入孔６ｅ内に、口金４ａの各口金ピン４ａ１をそれぞれ挿入させた状態で、各口金ピン４ａ１を、一対の導電片６ｆ，６ｆにより直径方向に弾性的に挟持することができると共に、この口金４ａの直径方向で対向する両側面を、一対のランプ支持ばね６ｇ，６ｇにより弾性的に挟持することができる。これにより、口金４ａはソケット６に装着される。
【００３０】
しかも、このようにソケット６に一旦装着された口金４ａを、ソケット６から取り外すように図２中下方（図６では上方）へ引き下ろすと、一対のランプ支持ばね６ｇ，６ｇと口金４ａの係合段部４ａ３との弾性係合と、各口金ピン４ａ１と各対の導電片６ｆ，６ｆと弾性的挟持と、がそれぞれ強制的に解除される。これにより、口金４ａをソケット６から取り外すことができる。
【００３１】
したがって、四角形蛍光ランプ４を器具本体２に取り付ける一方、取り外す場合は、この四角形蛍光ランプ４の口金４ａと、対向する対向発光部４ｂと、をそれぞれ把持してその着脱作業を簡単かつ迅速に行なうことができる。
【００３２】
すなわち、四角形蛍光ランプ４の口金４ａと、その対向発光部４ｂと、を把持して、この四角形蛍光ランプ４を器具本体２側の上方へ単に押し上げ、この把持している対向発光部４ｂを、下向き開口の一対のランプホルダ５，５へ押し込むことにより簡単かつ迅速に係合保持させることができる。
【００３３】
また、口金４ａも、その口金ピン６ｅを、ソケット６の各ピン挿入孔６ｅ内へ差し込む位置へ位置決めした後、単にソケット６側へ押し込むことにより給電自在に装着することができる。このために、大きな力を要しないうえに、四角形蛍光ランプ４の不安定さ低減することができる。したがって、例えば、四角形蛍光ランプ４が管径１５ｍｍ〜１８ｍｍである細管タイプの蛍光ランプである場合には、全長が長くなるほど取付作業時の不安定さが増す虞があるが、これを低減することができるので、作業性の低下を招くことがない。
【００３４】
また、この照明器具１によれば、四角形蛍光ランプ４の口金４ａをソケット６に着脱自在に装着して支持すると共に、この口金４ａに対向する対向発光部４ｂを一対のランプホルダ５，５により保持するので、この四角形蛍光ランプ４を器具本体２に保持させる保持安定性を向上させることができる。
【００３５】
なお、上記実施形態では四角形の環状蛍光ランプ４として発光部が四角形に配設された四角形の蛍光ランプについて説明したが、本発明はこれに限定されるものではなく、例えば三角形や五角形、六角形等の多角形、あるいは円形の環形ランプにも適用することができる。また、上記実施形態では、環形ランプとして、１本の四角形蛍光ランプ４を使用する場合について説明したが、環形ランプは２本でも３本、４本以上でもよい。さらに上記四角形蛍光ランプ４として内側，外側の２重管の場合について説明したが、１重管または３重管以上でもよい。
【００３６】
さらにまた、上記実施形態では、ランプホルダ５を左右一対、すなわち、２個設ける場合について説明したが、本発明は１個でもよい。その場合は、そのランプホルダ５を、四角形蛍光ランプ４の対向発光部４ｂの口金４ａに対応する部位に設けることにより、保持安定性を維持することができる。
【図面の簡単な説明】
【００３７】
【図１】本発明の一実施形態に係る照明器具の下面図。
【図２】図１の正面図。
【図３】図１で示すランプホルダの斜視図。
【図４】ソケットの平面図。
【図５】ソケットの右側面図。
【図６】ソケットに四角形蛍光ランプの口金を装着する場合の一部を縦断面で示す側面図。
【符号の説明】
【００３８】
１…照明器具、２…器具本体、２ｂ…反射面、２ｃ…投光開口、３…反射枠、４…四角形蛍光ランプ、４ａ…口金、４ｂ…対向発光部、５…ランプホルダ、６…ソケット、６ａ…挿入孔。
【図１】
2005327634.tif 000003
【図２】
2005327634.tif 000004
【図３】
2005327634.tif 000005
【図４】
2005327634.tif 000006
【図５】
2005327634.tif 000007
【図６】
2005327634.tif 000008